【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
以下の特性：
ＯＡＮ≧１７０ｍＬ／１００ｇ、
１６０〜２２０ｍ2／ｇの範囲のＳＴＳＡ、
０．７〜１の範囲のＳＴＳＡ／ＢＥＴ表面積比、および
少なくとも１２０ｍＬ／１００ｇのＣＯＡＮ
を有する、カーボンブラック。
【請求項２】
前記ＯＡＮが、１７０〜２２０ｍＬ／１００ｇの範囲である、請求項１に記載のカーボンブラック。
【請求項３】
前記ＯＡＮが、１７０〜２１０ｍＬ／１００ｇの範囲である、請求項１に記載のカーボンブラック。
【請求項４】
前記カーボンブラックが、１９０〜２７５ｍ2／ｇの範囲のＢＥＴ表面積を有する、請求項１〜３のいずれか１項に記載のカーボンブラック。
【請求項５】
前記ＢＥＴ表面積が、２００〜２７０ｍ2／ｇの範囲である、請求項１〜４のいずれか１項に記載のカーボンブラック。
【請求項６】
前記ＢＥＴ表面積が、２００〜２６０ｍ2／ｇの範囲である、請求項１〜４のいずれか１項に記載のカーボンブラック。
【請求項７】
前記カーボンブラックが、少なくとも１３０ｍＬ／１００ｇのＣＯＡＮを有する、請求項１〜６のいずれか１項に記載のカーボンブラック。
【請求項８】
前記カーボンブラックが、１．３０〜１．５０の範囲のＯＡＮ／ＣＯＡＮ比を有する、請求項１〜７のいずれか１項に記載のカーボンブラック。
【請求項９】
前記カーボンブラックが、０．７〜０．９の範囲のＳＴＳＡ／ＢＥＴ表面積比を有する、請求項１〜８のいずれか１項に記載のカーボンブラック。
【請求項１０】
前記カーボンブラックが、ファーネスブラックである、請求項１〜９のいずれか１項に記載のカーボンブラック。
【請求項１１】
前記カーボンブラックが、少なくとも１つの結合された有機基で修飾されている、請求項１〜１０のいずれか１項に記載のカーボンブラック。
【請求項１２】
前記少なくとも１つの結合された有機基が、式−［Ｒ（Ａ）］−を含み、式中、
Ｒは、前記カーボンブラックと結合されており、アリーレン、ヘテロアリーレン、およびアルキレンから選択され、ならびに、
Ａは、カルボン酸、スルホン酸、ホスホン酸、ヒドロキシル、アミン、およびエステル、アミド、ならびにこれらの塩から選択される、請求項１１に記載のカーボンブラック。
【請求項１３】
Ｒが、式Ｒ′−Ｓｐを含み、式中、Ｒ′は、アリーレン、ヘテロアリーレン、およびアルキレンから選択され、ならびにＳｐは、−ＣＯ2−、−Ｏ2Ｃ−、−ＣＯ−、−ＯＳＯ2−、−ＳＯ3−、−ＳＯ2−、−ＳＯ2Ｃ2Ｈ4−Ｏ−、−ＳＯ2Ｃ2Ｈ4Ｓ−、−ＳＯ2Ｃ2Ｈ4ＮＲ″−、−Ｏ−、−Ｓ−、−ＮＲ″−、−ＮＲ″ＣＯ−、−ＣＯＮＲ″−、−ＮＲ″ＣＯ2−、−Ｏ2ＣＮＲ″−、−ＮＲ″ＣＯＮＲ″−、−Ｎ（ＣＯＲ″）ＣＯ−、−ＣＯＮ（ＣＯＲ″）−、−ＮＲ″ＣＯＣＨ（ＣＨ2ＣＯ2Ｒ″）−およびそれからの環状イミド、−ＮＲ″ＣＯＣＨ2ＣＨ（ＣＯ2Ｒ″）−およびそれからの環状イミド、−ＣＨ（ＣＨ2ＣＯ2Ｒ″）ＣＯＮＲ″−およびそれからの環状イミド、−ＣＨ（ＣＯ2Ｒ″）ＣＨ2ＣＯＮＲ″およびそれからの環状イミド、スルホンアミド基、アリーレン基、アルキレン基から選択されるスペーサーであり、ならびにＲ″は、同一であっても、もしくは異なっていてもよく、水素、置換および無置換Ｃ5−Ｃ20アリール基、および置換および無置換Ｃ1−Ｃ6アルキル基から選択される、請求項１２に記載のカーボンブラック。
【請求項１４】
Ｒが、式Ｒ′−Ｓｐを含み、式中、Ｒ′は、アリーレン、ヘテロアリーレン、およびアルキレンから選択され、ならびにＳｐは、−ＣＯ2−、−Ｏ2Ｃ−、−Ｏ−、−ＮＲ″−、−ＮＲ″ＣＯ−もしくは−ＣＯＮＲ″−、−ＳＯ2ＮＲ″−、−ＳＯ2ＣＨ2ＣＨ2ＮＲ″−、−ＳＯ2ＣＨ2ＣＨ2Ｏ−、および−ＳＯ2ＣＨ2ＣＨ2Ｓ−から選択されるスペーサーであり、ここで、Ｒ″は、ＨおよびＣ1−Ｃ6アルキル基から選択される、請求項１２に記載のカーボンブラック。
【請求項１５】
Ｒが、式Ｒ′−Ｓｐを含み、式中、Ｒ′は、アリーレン、ヘテロアリーレン、およびアルキレンから選択され、ならびにＳｐは、カルボン酸もしくはエステル、酸塩化物、塩化スルホニル、アシルアジド、イソシアネート、ケトン、アルデヒド、酸無水物、アミド、イミド、イミン、α，β−不飽和ケトン、アルデヒド、もしくはスルホン、ハロゲン化アルキル、エポキシド、アルキルスルホネートもしくは（２−サルフェートエチル）−スルホン基などのサルフェート、アミン、ヒドラジン、アルコール、チオール、ヒドラジド、オキシム、トリアゼン、カルバニオン、芳香族化合物、ならびにこれらの塩および誘導体、またはこれらのいずれかの組み合わせから選択される反応性基を有する化合物から誘導されるスペーサーである、請求項１２に記載のカーボンブラック。
【請求項１６】
Ｒが、式Ｒ′−Ｓｐを含み、式中、Ｒ′は、アリーレン、ヘテロアリーレン、およびアルキレンから選択され、ならびにＳｐは、４−アミノベンジルアミン（４−ＡＢＡ）、３−アミノベンジルアミン（３−ＡＢＡ）、２−アミノベンジルアミン（２−ＡＢＡ）、２−アミノフェニルエチルアミン、４−アミノフェニル−（２−スルファトエチル）−スルホン（ＡＰＳＥＳ）、ｐ−アミノ安息香酸（ＰＡＢＡ）、４−アミノフタル酸（４−ＡＰＡ）、および５−アミノベンゼン−１，２，３−トリカルボン酸から選択される化合物から誘導されるスペーサーである、請求項１２に記載のカーボンブラック。
【請求項１７】
前記少なくとも１つの結合された有機基が、式−［Ｒ（Ａ）］−を含み、式中、
Ｒは、前記カーボンブラックと結合されており、アリーレン、ヘテロアリーレン、およびアルキレンから選択され、ならびに、
Ａは、水素、アルキル、アリール、ヘテロアリール、アルキレンオキシド、カルボン酸エステル、およびグリコールから選択される、請求項１１に記載のカーボンブラック。
【請求項１８】
Ｒが、式Ｒ′−Ｓｐを含み、式中、Ｒ′は、アリーレン、ヘテロアリーレン、およびアルキレンから選択され、ならびにＳｐは、−ＣＯ2−、−Ｏ2Ｃ−、−ＣＯ−、−ＯＳＯ2−、−ＳＯ3−、−ＳＯ2−、−ＳＯ2Ｃ2Ｈ4−Ｏ−、−ＳＯ2Ｃ2Ｈ4Ｓ−、−ＳＯ2Ｃ2Ｈ4ＮＲ″−、−Ｏ−、−Ｓ−、−ＮＲ″−、−ＮＲ″ＣＯ−、−ＣＯＮＲ″−、−ＮＲ″ＣＯ2−、−Ｏ2ＣＮＲ″−、−ＮＲ″ＣＯＮＲ″−、−Ｎ（ＣＯＲ″）ＣＯ−、−ＣＯＮ（ＣＯＲ″）−、−ＮＲ″ＣＯＣＨ（ＣＨ2ＣＯ2Ｒ″）−およびそれからの環状イミド、−ＮＲ″ＣＯＣＨ2ＣＨ（ＣＯ2Ｒ″）−およびそれからの環状イミド、−ＣＨ（ＣＨ2ＣＯ2Ｒ″）ＣＯＮＲ″−およびそれからの環状イミド、−ＣＨ（ＣＯ2Ｒ″）ＣＨ2ＣＯＮＲ″およびそれからの環状イミド、スルホンアミド基、アリーレン基、アルキレン基から選択されるスペーサーであり、ならびにＲ″は、同一であっても、もしくは異なっていてもよく、水素、置換および無置換Ｃ5−Ｃ20アリール基、および置換および無置換Ｃ1−Ｃ6アルキル基から選択される、請求項１７に記載のカーボンブラック。
【請求項１９】
Ｒが、式Ｒ′−Ｓｐを含み、式中、Ｒ′は、アリーレン、ヘテロアリーレン、およびアルキレンから選択され、ならびにＳｐは、−ＣＯ2−、−Ｏ2Ｃ−、−Ｏ−、−ＮＲ″−、−ＮＲ″ＣＯ−もしくは−ＣＯＮＲ″−、−ＳＯ2ＮＲ″−、−ＳＯ2ＣＨ2ＣＨ2ＮＲ″−、−ＳＯ2ＣＨ2ＣＨ2Ｏ−、および−ＳＯ2ＣＨ2ＣＨ2Ｓ−から選択されるスペーサーであり、ここで、Ｒ″は、ＨおよびＣ1−Ｃ6アルキル基から選択される、請求項１７に記載のカーボンブラック。
【請求項２０】
Ｒが、式Ｒ′−Ｓｐを含み、式中、Ｒ′は、アリーレン、ヘテロアリーレン、およびアルキレンから選択され、ならびにＳｐは、カルボン酸もしくはエステル、酸塩化物、塩化スルホニル、アシルアジド、イソシアネート、ケトン、アルデヒド、酸無水物、アミド、イミド、イミン、α，β−不飽和ケトン、アルデヒド、もしくはスルホン、ハロゲン化アルキル、エポキシド、アルキルスルホネートもしくはサルフェート、アミン、ヒドラジン、アルコール、チオール、ヒドラジド、オキシム、トリアゼン、カルバニオン、芳香族化合物、ならびにこれらの塩および誘導体、またはこれらのいずれかの組み合わせから選択される反応性基を有する化合物から誘導されるスペーサーである、請求項１７に記載のカーボンブラック。
【請求項２１】
Ｒが、式Ｒ′−Ｓｐを含み、式中、Ｒ′は、アリーレン、ヘテロアリーレン、およびアルキレンから選択され、ならびにＳｐは、４−アミノベンジルアミン（４−ＡＢＡ）、３−アミノベンジルアミン（３−ＡＢＡ）、２−アミノベンジルアミン（２−ＡＢＡ）、２−アミノフェニルエチルアミン、４−アミノフェニル−（２−スルファトエチル）−スルホン（ＡＰＳＥＳ）、ｐ−アミノ安息香酸（ＰＡＢＡ）、４−アミノフタル酸（４−ＡＰＡ）、および５−アミノベンゼン−１，２，３−トリカルボン酸から選択される化合物から誘導されるスペーサーである、請求項１７に記載のカーボンブラック。
【請求項２２】
前記少なくとも１つの結合された有機基が、式−［Ｒ（Ａ）］−を含み、式中、
Ｒは、前記カーボンブラックと結合されており、アリーレン、ヘテロアリーレン、およびアルキレンから選択され、ならびに、
Ａは、ポリマーから選択される、請求項１１に記載のカーボンブラック。
【請求項２３】
Ｒが、式Ｒ′−Ｓｐを含み、式中、Ｒ′は、アリーレン、ヘテロアリーレン、およびアルキレンから選択され、ならびにＳｐは、−ＣＯ2−、−Ｏ2Ｃ−、−ＣＯ−、−ＯＳＯ2−、−ＳＯ3−、−ＳＯ2−、−ＳＯ2Ｃ2Ｈ4−Ｏ−、−ＳＯ2Ｃ2Ｈ4Ｓ−、−ＳＯ2Ｃ2Ｈ4ＮＲ″−、−Ｏ−、−Ｓ−、−ＮＲ″−、−ＮＲ″ＣＯ−、−ＣＯＮＲ″−、−ＮＲ″ＣＯ2−、−Ｏ2ＣＮＲ″−、−ＮＲ″ＣＯＮＲ″−、−Ｎ（ＣＯＲ″）ＣＯ−、−ＣＯＮ（ＣＯＲ″）−、−ＮＲ″ＣＯＣＨ（ＣＨ2ＣＯ2Ｒ″）−およびそれからの環状イミド、−ＮＲ″ＣＯＣＨ2ＣＨ（ＣＯ2Ｒ″）−およびそれからの環状イミド、−ＣＨ（ＣＨ2ＣＯ2Ｒ″）ＣＯＮＲ″−およびそれからの環状イミド、−ＣＨ（ＣＯ2Ｒ″）ＣＨ2ＣＯＮＲ″およびそれからの環状イミド、スルホンアミド基、アリーレン基、アルキレン基から選択されるスペーサーであり、ならびにＲ″は、同一であっても、もしくは異なっていてもよく、水素、置換および無置換Ｃ5−Ｃ20アリール基、および置換および無置換Ｃ1−Ｃ6アルキル基から選択される、請求項２２に記載のカーボンブラック。
【請求項２４】
Ｒが、式Ｒ′−Ｓｐを含み、式中、Ｒ′は、アリーレン、ヘテロアリーレン、およびアルキレンから選択され、ならびにＳｐは、−ＣＯ2−、−Ｏ2Ｃ−、−Ｏ−、−ＮＲ″−、−ＮＲ″ＣＯ−もしくは−ＣＯＮＲ″−、−ＳＯ2ＮＲ″−、−ＳＯ2ＣＨ2ＣＨ2ＮＲ″−、−ＳＯ2ＣＨ2ＣＨ2Ｏ−、および−ＳＯ2ＣＨ2ＣＨ2Ｓ−から選択されるスペーサーであり、ここで、Ｒ″は、ＨおよびＣ1−Ｃ6アルキル基から選択される、請求項２２に記載のカーボンブラック。
【請求項２５】
Ｒが、式Ｒ′−Ｓｐを含み、式中、Ｒ′は、アリーレン、ヘテロアリーレン、およびアルキレンから選択され、ならびにＳｐは、カルボン酸もしくはエステル、酸塩化物、塩化スルホニル、アシルアジド、イソシアネート、ケトン、アルデヒド、酸無水物、アミド、イミド、イミン、α，β−不飽和ケトン、アルデヒド、もしくはスルホン、ハロゲン化アルキル、エポキシド、アルキルスルホネートもしくはサルフェート、アミン、ヒドラジン、アルコール、チオール、ヒドラジド、オキシム、トリアゼン、カルバニオン、芳香族化合物、ならびにこれらの塩および誘導体、またはこれらのいずれかの組み合わせから選択される反応性基を有する化合物から誘導されるスペーサーである、請求項２２に記載のカーボンブラック。
【請求項２６】
Ｒが、式Ｒ′−Ｓｐを含み、式中、Ｒ′は、アリーレン、ヘテロアリーレン、およびアルキレンから選択され、ならびにＳｐは、４−アミノベンジルアミン（４−ＡＢＡ）、３−アミノベンジルアミン（３−ＡＢＡ）、２−アミノベンジルアミン（２−ＡＢＡ）、２−アミノフェニルエチルアミン、４−アミノフェニル−（２−スルファトエチル）−スルホン（ＡＰＳＥＳ）、ｐ−アミノ安息香酸（ＰＡＢＡ）、４−アミノフタル酸（４−ＡＰＡ）、および５−アミノベンゼン−１，２，３−トリカルボン酸から選択される化合物から誘導されるスペーサーである、請求項２２に記載のカーボンブラック。
【請求項２７】
前記ポリマーが、アクリル酸、メタクリル酸、アクリレートエステル、メタクリレートエステル、アクリルアミドおよびメタクリルアミド、アクリロニトリル、シアノアクリレートエステル、マレイン酸およびフマル酸ジエステル、ビニルピリジン、ビニルＮ−アルキルピロール、酢酸ビニル、ビニルオキサゾール、ビニルチアゾール、ビニルピリミジン、ビニルイミダゾール、ビニルケトン、ビニルエーテル、ならびにスチレンから選択されるモノマーから誘導される、請求項２２に記載のカーボンブラック。
【請求項２８】
前記ポリマーが、アクリル酸メチル（ＭＡ）、メタクリル酸メチル（ＭＭＡ）、アクリル酸エチル（ＥＡ）、メタクリル酸エチル（ＥＭＡ）、アクリル酸ブチル（ＢＡ）、アクリル酸２−エチルヘキシル（ＥＨＡ）、アクリロニトリル（ＡＮ）、メタクリロニトリル、スチレン、およびこれらの誘導体から選択されるモノマーから誘導される、請求項２２に記載のカーボンブラック。
【請求項２９】
前記カーボンブラックが、フェノール、ラクトン、カルボニル、カルボキシル、酸無水物、エーテル、およびキノンから選択される少なくとも１つの基を含む表面を有する、請求項１〜２８のいずれか１項に記載のカーボンブラック。
【請求項３０】
請求項１〜２９のいずれか１項に記載のカーボンブラックを含む分散体。
【請求項３１】
前記カーボンブラックが、０．１〜０．１８μｍの範囲の体積平均径を有する、請求項３０に記載の分散体。
【請求項３２】
前記カーボンブラックが、０．０５〜０．１μｍの範囲のＤ１０を有する、請求項３０または３１に記載の分散体。
【請求項３３】
前記カーボンブラックが、０．０６〜０．１μｍの範囲のＤ１０を有する、請求項３０または３１に記載の分散体。
【請求項３４】
前記カーボンブラックが、０．０７〜０．１μｍの範囲のＤ１０を有する、請求項３０または３１に記載の分散体。
【請求項３５】
前記カーボンブラックが、０．１〜０．１６μｍの範囲のＤ５０を有する、請求項３０〜３４のいずれか１項に記載の分散体。
【請求項３６】
前記カーボンブラックが、０．１８〜０．２５μｍの範囲のＤ９０を有する、請求項３０〜３５のいずれか１項に記載の分散体。
【請求項３７】
前記カーボンブラックが、０．１５〜０．２４μｍの範囲のＤ９０を有する、請求項３０〜３５のいずれか１項に記載の分散体。
【請求項３８】
前記カーボンブラックが、０．１８〜０．２４μｍの範囲のＤ９０を有する、請求項３０〜３５のいずれか１項に記載の分散体。
【請求項３９】
請求項１〜２９のいずれか１項に記載のカーボンブラックを含むインクジェットインク組成物。
【請求項４０】
請求項３０〜３９のいずれか１項に記載の分散体を含むインクジェットインク組成物。